(57)【特許請求の範囲】
【請求項１】
上部が開口され、調理容器を加熱する加熱手段を内部に有する本体と、
前記本体の開口を覆うように取り付けられ、前記加熱手段により加熱される前記調理容器の載置位置を示す加熱部が複数表示された天板と、
前記天板に設置された際に当該天板の加熱部が露出するように形成され、露出する加熱部に載置された調理容器が当該加熱部から外れないように調理容器の下部を外側から抑制する容器抑制手段と
を備え、
前記容器抑制手段は、前記天板の前記加熱部よりも後部に設置され、前記複数の加熱部側の端部に当該加熱部の一部を囲む複数の凹部を有し、
前記容器抑制手段の両側の端部は、前記複数の凹部により形成される当該凹部間の中央分離部よりも手前側に長く形成されていることを特徴とする加熱調理器。
【請求項２】
前記凹部は、前記複数の加熱部側の端部に当該加熱部の外形にそれぞれ沿って円弧状に形成されていることを特徴とする請求項１記載の加熱調理器。
【請求項３】
前記複数の凹部の中心は、前記天板を前方から見て、前記複数の加熱部の中心よりも手前側に位置することを特徴とする請求項２記載の加熱調理器。
【請求項４】
前記容器抑制手段は、前記加熱部毎に前記凹部の半径が異なることを特徴とする請求項２記載の加熱調理器。
【請求項５】
前記凹部は、前記複数の加熱部側の端部に当該加熱部の少なくとも半周をそれぞれ囲むことを特徴とする請求項１記載の加熱調理器。
【請求項６】
前記天板の後部には、前記本体からの排気風を排出する排気口が設けられ、
前記容器抑制手段は、前記排気口を覆う排気カバーを備えていることを特徴とする請求項１〜５の何れか１項に記載の加熱調理器。
【請求項７】
前記天板の後部には、前記本体からの排気風を排出する排気口が設けられ、
前記容器抑制手段は、前記排気口と対向する位置に、当該排気口から排出される排気風を通過させる通気口を有することを特徴とする請求項１〜５の何れか１項に記載の加熱調理器。
【請求項８】
上部が開口され、調理容器を加熱する加熱手段を内部に有する本体と、
前記本体の開口を覆うように取り付けられ、前記加熱手段により加熱される前記調理容器の載置位置を示す加熱部が複数表示された天板と、
前記天板に設置された際に当該天板の加熱部が露出するように形成され、露出する加熱部に載置された調理容器が当該加熱部から外れないように調理容器の下部を外側から抑制する容器抑制手段と
を備え、
前記容器抑制手段は、前記天板の前記複数の加熱部よりも前部に設置され、前記複数の加熱部側の端部に当該加熱部の外形にそれぞれ沿って円弧状に形成された複数の凹部を有し、
前記容器抑制手段の両側の端部は、前記複数の凹部により形成される当該凹部間の中央分離部よりも背面側に長く形成されていることを特徴とする加熱調理器。
【請求項９】
前記複数の凹部の中心は、前記天板を前方から見て、前記複数の加熱部の中心よりも奥側に位置することを特徴とする請求項８記載の加熱調理器。
【請求項１０】
前記容器抑制手段は、前記天板に取り外し自在に設置されることを特徴とする請求項１〜９の何れか１項に記載の加熱調理器。
【請求項１１】
前記容器抑制手段の上面には、マーキングが施されていることを特徴とする請求項１〜１０の何れか１項に記載の加熱調理器。
【請求項１２】
前記マーキングは、前記天板を前方から見て、前記凹部の左右方向の中心上に設けられていることを特徴とする請求項１１記載の加熱調理器。
【請求項１３】
前記マーキングは、前記容器抑制手段の上面に設けられた凸形状であることを特徴とする請求項１１又は１２記載の加熱調理器。
【請求項１４】
前記天板に配置された前記容器抑制手段の前後左右のうち、少なくとも左右方向のずれを防止するずれ防止手段を設けたことを特徴とする請求項１〜１３の何れか１項に記載の加熱調理器。
【発明の詳細な説明】
【技術分野】
【０００１】
本発明は、天板に載置された調理容器を加熱する加熱調理器に関するものである。
【背景技術】
【０００２】
従来の加熱調理器として、本体の上面に設けられた天板と、天板に載置される調理容器を囲む容器ガードと、容器ガードの複数箇所に調理容器の把手部を嵌合させる凹部とを備えたものがある（例えば、特許文献１参照）。
【先行技術文献】
【特許文献】
【０００３】
【特許文献１】特開平９−３０６６５９号公報
【発明の概要】
【発明が解決しようとする課題】
【０００４】
前述の加熱調理器においては、特定の大きさの調理容器に合わせて容器ガードが製作されているため、使用できる調理容器が限定されてしまうという課題があった。
【０００５】
本発明は、前述のような課題を解決するためになされたもので、調理容器の把手部を嵌合させる凹部を用いることなく、調理容器の加熱部からのずれを抑制できる加熱調理器を提供することを目的とする。
【課題を解決するための手段】
【０００６】
本発明に係る加熱調理器は、上部が開口され、調理容器を加熱する加熱手段を内部に有する本体と、本体の開口を覆うように取り付けられ、加熱手段により加熱される調理容器の載置位置を示す加熱部が複数表示された天板と、天板に設置された際に当該天板の加熱部が露出するように形成され、露出する加熱部に載置された調理容器が当該加熱部から外れないように調理容器の下部を外側から抑制する容器抑制手段とを備え、容器抑制手段は、天板の加熱部よりも後部に設置され、複数の加熱部側の端部に当該加熱部の一部を囲む複数の凹部を有し、容器抑制手段の両側の端部は、複数の凹部により形成される当該凹部間の中央分離部よりも手前側に長く形成されている。
【発明の効果】
【０００７】
本発明によれば、天板の加熱部が露出するように形成された容器抑制手段により、調理容器が加熱部から外れないようにしているので、調理容器の把手部を嵌合させる凹部を用いることなく、調理中の調理容器が加熱部からずれるということがなくなり、このため、視覚障害者の方でも安心して調理を行うことができる。
【図面の簡単な説明】
【０００８】
【図１】本発明の実施の形態１に係る加熱調理器の外観を示す斜視図である。
【図２】図１の容器抑制手段を加熱調理器の天板に設置して示す斜視図である。
【図３】本発明の実施の形態２に係る加熱調理器の外観を示す斜視図である。
【図４】図３の容器抑制手段を加熱調理器の天板に設置して示す斜視図である。
【図５】本発明の実施の形態３に係る加熱調理器の外観を示す斜視図である。
【図６】図５の容器抑制手段を加熱調理器の天板に設置して示す斜視図である。
【図７】本発明の実施の形態４に係る加熱調理器の外観を示す斜視図である。
【図８】図７の容器抑制手段を加熱調理器の天板に設置して示す斜視図である。
【図９】本発明の実施の形態５に係る加熱調理器の外観を示す斜視図である。
【図１０】図９の容器抑制手段を加熱調理器の天板に設置して示す斜視図である。
【図１１】本発明の実施の形態６に係る加熱調理器の外観を示す斜視図である。
【図１２】図１１の容器抑制手段を加熱調理器の天板に設置して示す斜視図である。
【図１３】本発明の実施の形態７に係る加熱調理器の外観を示す斜視図である。
【図１４】図１３の容器抑制手段を加熱調理器の天板に設置して示す斜視図である。
【発明を実施するための形態】
【０００９】
実施の形態１．
図１は本発明の実施の形態１に係る加熱調理器の外観を示す斜視図である。
本実施の形態１に係る加熱調理器１００は、図１に示すように、本体１の上部に形成された開口が天板２によって覆われている。この天板２は、例えば結晶化ガラスにより形成され、鍋等の調理容器が載置される。
【００１０】
天板２は、前部に各種の操作入力を行う操作部４を備えている。操作部４には、複数の操作スイッチ、後述する加熱部３ａ、３ｂの火力を表示する火力表示部５ａ、５ｂが設けられている。操作スイッチは、例えば静電スイッチのようなタッチ式のスイッチにより構成されている。また、操作部４には、各加熱部３ａ、３ｂの設定条件、調理の経過状況等を表示する表示部が設けられている。この表示部には、液晶（ＬＣＤ）によるもの、有機電界発光（Ｅｌｅｃｔｒｏ  Ｌｕｍｉｎｅｓｃｅｎｃｅ：ＥＬ）素子などによるものが使用される。
【００１１】
なお、本実施の形態１では、加熱部３ａ、３ｂそれぞれに対応して表示部を設けたことを説明したが、表示部についてはこれに限定されるものではなく、１つの表示部で交互に、あるいは一度に全ての加熱部３ａ、３ｂの設定条件を表示するものでもよい。また、設定条件の火力をＬＥＤの点灯あるいは点滅の数で表すような表示手段を用いたものでもよく、適宜、選定可能である。
【００１２】
前述の加熱部３ａ、３ｂは、調理容器が載置される位置を示すもので、印刷等により円形状に表示されている。天板２の下方の本体１内には、加熱部３ａ、３ｂに対応してそれぞれ加熱手段である誘導加熱コイルが配置されている。なお、本実施の形態１では、各加熱部３ａ、３ｂにそれぞれ誘導加熱コイルを設けているが、これらの誘導加熱コイルのうち１つを、例えばラジエントヒーターのような電熱線からなる輻射式加熱手段としてもよい。
【００１３】
本体１の内部には、スイッチング素子、整流回路、その他電子部品等から構成されたそれぞれの誘導加熱コイル用のインバーター回路を内包したインバーター基板、調理庫８の加熱手段に電力を供給する電源基板、これら電源基板及びインバーター基板を冷却する冷却ファンが配設されている。冷却ファンの冷却風は、電源基板及びインバーター基板を冷却した後、それぞれの誘導加熱コイルを冷却している。
【００１４】
なお、本実施の形態１では、インバーター基板と電源基板をそれぞれ独立した基板として説明したが、これに限定されるものではなく、インバーター基板と電源基板が一枚の基板で構成されるものでもよい。また、加熱部３ａ、３ｂ毎にインバーター基板を用意してもよく、適宜、選定可能である。
【００１５】
本体１の前面には、開口部を有する調理庫８が設けられている。この調理庫８の開口部は、受け皿７が直接取り付けられた扉体６により開閉される。つまり、扉体６を手前に引いたときには受け皿７が調理庫８内から引き出され、その状態から扉体６を押して調理庫８の開口部を閉じたときには、受け皿７が調理庫８内に収容される。受け皿７の上には、調理物を載置する焼き網が配置される。
【００１６】
なお、本実施の形態１では、扉体６に受け皿７を直接取り付けて、受け皿７を調理庫８内に収容する形態となっているが、これに限定されるものではない。例えば、調理庫８内にレールを設け、そのレールに扉体６を連結し、レールに受け皿７を載置して扉体６と連動したレールにより受け皿７を調理庫８内から引き出したり、収容したりするようにしてもよい。また、調理物を載置する焼き網を用いたもので説明したが、これに限定されるものではなく、焼き網が無く受け皿７に直接調理物を載置する構成であってもよい。
【００１７】
天板２の後部には、調理庫８で調理を行ったときの排気、排熱を行うための排気口１０ａ、１０ｂ（図３参照）が設けられている。この排気口１０ａ、１０ｂからは、その他に冷却ファンによりインバーター基板、電源基板、それぞれの誘導加熱コイル等を冷却した冷却風も排出される。排気口１０ａ、１０ｂの上方には、排気カバー９ａ、９ｂが取り外し自在に設置されている。排気カバー９ａ、９ｂは、排気口１０ａ、１０ｂに異物が入らないようにするためのものである。
【００１８】
次に、加熱調理器１００に備えられた容器抑制手段２０について、図１及び図２を用いて説明する。
図２は図１の容器抑制手段を加熱調理器の天板に設置して示す斜視図である。
容器抑制手段２０は、調理中の調理容器が加熱部３ａ、３ｂから外れないように調理容器の下部を外側から抑制するためのものである。この容器抑制手段２０は、耐熱性を有するシリコーンあるいは樹脂により四辺形の板状に形成されており、例えば、左右方向に２つの穴２１、２２が設けられている。
【００１９】
図２に示すように、容器抑制手段２０の左右方向の横幅は天板２の横幅と同じで、容器抑制手段２０の奥方向の縦の長さは、天板２の操作部４と排気カバー９ａ、９ｂとの間の長さと同じに形成されている。容器抑制手段２０の穴２１、２２は、２つの加熱部３ａ、３ｂに対向する位置に設けられ、穴２１、２２は、加熱部３ａ、３ｂの径よりも大きく形成されている。つまり、容器抑制手段２０の穴２１、２２は、加熱部３ａ、３ｂで加熱調理ができる調理容器の外径よりも大きく形成されている。また、容器抑制手段２０は、穴２１、２２に挿入された調理容器が位置ずれをしないような厚みを有している。
【００２０】
容器抑制手段２０を、図２に示すように、天板２に設置する場合は、容器抑制手段２０を天板２の操作部４と排気カバー９ａ、９ｂとの間の中央部に取り外し自在に設置し、容器抑制手段２０の横幅が天板２からずれないように調整することで、容器抑制手段２０の穴２１、２２の中に加熱部３ａ、３ｂが露出した状態となる。
【００２１】
この状態で、例えば調理容器を加熱部３ａに載置した場合、容器抑制手段２０の穴２１によって、加熱部３ａに対する調理容器の位置ずれが外側から抑制される。つまり、その穴２１によって、調理容器がずれることなく、加熱部３ａに載置される。
なお、容器抑制手段２０を、天板２の上面の適正位置に確実に置けるよう、容器抑制手段２０の左右方向の位置を、天板２によって規制できるように、容器抑制手段２０の左右両端部の下面に突出する肉厚部分を設け、この肉厚部分の垂下部表面（垂直面）が、天板２の左右両端面に接触又は近接するようにすれば良い。このような構成であれば、容器抑制手段２０を、天板２の上面の適正位置に置かない限り、前記肉厚部分によって容器抑制手段２０の左右両端部が、天板２の上面に浮き上がった状態になるので、使用者に対して適正位置に置いていないことを気付かせることが期待できる。
また、本実施の形態１では、容器抑制手段２０の横幅を天板２の横幅と同じとして説明したが、天板２には左右両側に金属の枠体を有する形態のものもある。天板２が左右両側に金属の枠体を有する形態のときは、容器抑制手段２０の横幅を天板２の左右両側の金属の枠体の内幅と同じとすることで、容器抑制手段２０が天板２の左右両側の金属の枠体の内側に収まり、天板２上における容器抑制手段２０の左右方向の位置決めができる。
【００２２】
以上のように本実施の形態１においては、容器抑制手段２０の穴２１、２２によって、調理容器の加熱部３ａ、３ｂに対する位置ずれを抑制することができる。このため、調理中に、調理容器が加熱部３ａ、３ｂから外れるということがなくなり、視覚障害者の方でも安心して調理を行うことができる。
【００２３】
また、容器抑制手段２０の穴２１、２２によって、確実に調理容器を加熱部３ａ、３ｂに載置することができるので、天板２の前部に設けられた操作部４上に、誤って調理容器を載せるようなことがなくなり、操作部４への熱影響を緩和できる。
【００２４】
更に、容器抑制手段２０の穴２１、２２によって、調理中の調理容器の位置ずれを抑制できるので、安定した火力で調理を行うことができ、また、温度センサーから外れることなく調理ができるので、安定した温度制御ができる。
【００２５】
実施の形態２．
図３は本発明の実施の形態２に係る加熱調理器の外観を示す斜視図、図４は図３の容器抑制手段を加熱調理器の天板に設置して示す斜視図である。なお、実施の形態１と同様の部分には同じ符号を付し、実施の形態１と異なる容器抑制手段についてのみ説明する。
【００２６】
容器抑制手段３０は、前述したように、調理中の調理容器が加熱部３ａ、３ｂから外れないように調理器の下部を外側から抑制するためのもので、耐熱性を有するシリコーンあるいは樹脂により板状に形成されている。図３に示すように、容器抑制手段３０は、天板２の加熱部３ａ、３ｂよりも後部に取り外し自在に設置され、加熱部３ａ、３ｂ側の端部に加熱部３ａ、３ｂの外形にそれぞれ沿って円弧状に形成された凹部３１、３２を有している。なお、容器抑制手段３０がシリコーンあるいは樹脂により形成されているとしたが、これに限定されるものではない。例えば、容器抑制手段３０の凹部３１、３２は、誘導加熱コイルにより誘導加熱される領域から外れているので、容器抑制手段３０を板状の金属材で形成してもよい。
【００２７】
また、容器抑制手段３０の表面には、凸形状のマーキング３３が施されている。このマーキング３３は、それぞれ凹部３１、３２の左右方向の中心上に設けられている。容器抑制手段３０がシリコーンあるいは樹脂により形成されているときは、凸形状のマーキング３３を一体的に形成することができる。容器抑制手段３０が板状の金属材で形成されているときは、凸形状のマーキング３３をエンボス加工やダボ加工等で形成したり、シリコーン等を滴下させて形成したりすることができる。更に、容器抑制手段３０の後部には、天板２に設けられた排気口１０ａ、１０ｂを覆う排気カバー３４、３５が取り外し自在に設けられている。
【００２８】
図４に示すように、容器抑制手段３０の左右方向の横幅は天板２の横幅と同じである。容器抑制手段３０の凹部３１、３２の中心は、天板２を前方から見て、２つの加熱部３ａ、３ｂの中心よりも手前側に位置している。つまり、凹部３１、３２の大きさは、加熱部３ａ、３ｂの径よりも大きく形成されている。また、容器抑制手段３０は、凹部３１、３２に挿入された調理容器が位置ずれをしないような厚みを有している。
【００２９】
容器抑制手段３０を、図４に示すように、天板２に設置する場合は、先ず、容器抑制手段３０のマーキング３３がある面側を上に向けた状態で、排気カバー３４、３５が天板２の排気口１０ａ、１０ｂを覆うように、その容器抑制手段３０を天板２に設置する。そして、容器抑制手段３０の横幅が天板２からずれないように調整することで、容器抑制手段３０の凹部３１、３２の中に加熱部３ａ、３ｂが露出する状態となる。
【００３０】
この状態で、例えば調理容器を加熱部３ａに載置した場合、容器抑制手段３０の凹部３１によって、加熱部３ａに対する調理容器の位置ずれが外側から抑制される。つまり、その穴２１によって、調理容器の左右方向のずれ、奥方向のずれが抑制される。
【００３１】
以上のように本実施の形態２においては、容器抑制手段３０の凹部３１、３２によって、調理容器の加熱部３ａ、３ｂに対する左右方向と奥方向の位置ずれを抑制することができる。このため、調理中に、調理容器が加熱部３ａ、３ｂから大きく外れるということがなくなり、視覚障害者の方でも安心して調理を行うことができる。
【００３２】
また、容器抑制手段３０の凹部３１、３２によって、調理中の調理容器の位置ずれを抑制できるので、安定した火力で調理を行うことができ、また、温度センサーから外れることなく調理ができるので、安定した温度制御ができる。
【００３３】
更に、容器抑制手段３０の表面に凸形状のマーキング３３を施しているので、視覚障害者の方をはじめ、容器抑制手段３０の表と裏を判別できるようになり、加熱部３ａ、３ｂの中心位置を探す指標となり、調理容器の設置が容易になる。
【００３４】
実施の形態３．
図５は本発明の実施の形態３に係る加熱調理器の外観を示す斜視図、図６は図５の容器抑制手段を加熱調理器の天板に設置して示す斜視図である。なお、実施の形態２と同様の部分には同じ符号を付し、実施の形態２と異なる容器抑制手段についてのみ説明する。
【００３５】
容器抑制手段４０は、前述したように、調理中の調理容器が加熱部３ａ、３ｂから外れないように調理容器の下部を外側から抑制するためのもので、耐熱性を有するシリコーンあるいは樹脂により板状に形成されている。図５に示すように、容器抑制手段４０は、天板２の加熱部３ａ、３ｂよりも後部に取り外し自在に設置され、加熱部３ａ、３ｂ側の端部に加熱部３ａ、３ｂの外形にそれぞれ沿って円弧状に形成された凹部４１、４２を有している。容器抑制手段４０の後部には、天板２に設けられた排気口１０ａ、１０ｂを覆う排気カバー４３、４４が取り外し自在に設けられている。なお、容器抑制手段４０がシリコーンあるいは樹脂により形成されているとしたが、これに限定されるものではない。例えば、容器抑制手段４０の凹部４１、４２は、誘導加熱コイルにより誘導加熱される領域から外れているので、容器抑制手段４０を板状の金属材で形成してもよい。
【００３６】
本実施の形態３においては、容器抑制手段４０の両側の端部４０ａは、その凹部４１、４２により形成される凹部４１、４２間の中央分離部４０ｂよりも手前側に長く形成されている。つまり、各端部４０ａは、中央分離部４０ｂよりもａ（ｍｍ）長くなっている。各端部４０ａを中央分離部４０ｂよりも長くすることで、調理容器が加熱部３ａ、３ｂから左右方向の外側への位置ずれが抑制される。なお、容器抑制手段４０の表面には、マーキングが施されていないが、図３に示すように、凸形状のマーキング３３を施してもよい。
【００３７】
図６に示すように、容器抑制手段４０の左右方向の横幅は天板２の横幅と同じである。容器抑制手段４０の凹部４１、４２の中心は、天板２を前方から見て、２つの加熱部３ａ、３ｂの中心よりも手前側に位置している。つまり、凹部４１、４２の間口が実施の形態２における凹部３１、３２と比べ広くなっている。また、容器抑制手段４０は、凹部４１、４２に挿入された調理容器が位置ずれをしないような厚みを有している。
【００３８】
容器抑制手段４０を、図６に示すように、天板２に設置する場合は、排気カバー４３、４４が天板２の排気口１０ａ、１０ｂを覆うように、その容器抑制手段４０を天板２に設置する。そして、容器抑制手段４０の横幅が天板２からずれないように調整することで、容器抑制手段４０の凹部４１、４２の中に加熱部３ａ、３ｂが露出する状態となる。
【００３９】
この状態で、例えば調理容器を加熱部３ａに載置した場合、容器抑制手段４０の凹部４１によって、加熱部３ａに対する調理容器の位置ずれが外側から抑制される。つまり、その凹部４１によって、調理容器の左右方向のずれ、奥方向のずれが抑制される。
【００４０】
以上のように本実施の形態３においては、容器抑制手段４０の凹部４１、４２によって、調理容器の加熱部３ａ、３ｂに対する左右方向と奥方向の位置ずれを抑制することができる。このため、調理中に、調理容器が加熱部３ａ、３ｂから大きく外れるということがなくなり、視覚障害者の方でも安心して調理を行うことができる。
【００４１】
また、容器抑制手段３０の凹部４１、４２によって、調理中の調理容器の位置ずれを抑制できるので、安定した火力で調理を行うことができ、また、温度センサーから外れることなく調理ができるので、安定した温度制御ができる。
【００４２】
実施の形態４．
図７は本発明の実施の形態４に係る加熱調理器の外観を示す斜視図、図８は図７の容器抑制手段を加熱調理器の天板に設置して示す斜視図である。なお、実施の形態２と同様の部分には同じ符号を付し、実施の形態２と異なる容器抑制手段についてのみ説明する。
【００４３】
容器抑制手段５０は、前述したように、調理中の調理容器が加熱部３ａ、３ｂから外れないように調理容器の下部を外側から抑制するためのもので、耐熱性を有するシリコーンあるいは樹脂により板状に形成されている。図７に示すように、容器抑制手段５０は、天板２の加熱部３ａ、３ｂよりも後部に取り外し自在に設置され、加熱部３ａ、３ｂ側の端部に加熱部３ａ、３ｂの外形にそれぞれ沿って円弧状に形成された凹部５１、５２を有している。なお、容器抑制手段５０がシリコーンあるいは樹脂により形成されているとしたが、これに限定されるものではない。例えば、容器抑制手段５０の凹部５１、５２は、誘導加熱コイルにより誘導加熱される領域から外れているので、容器抑制手段５０を板状の金属材で形成してもよい。
【００４４】
この凹部５１、５２のうち、例えば一方の凹部５２の半径は、もう一方の凹部５１の半径よりも小さく形成されている。つまり、凹部５２の半径は、加熱部３ｂの径とほぼ同じ大きさである。これにより、加熱部３ｂの径よりも小さい調理容器を用いても、加熱部３ｂからはみ出すようなことがなく、安定した火力で調理を行うことができる。なお、凹部５１、５２のうち、凹部５２の半径を凹部５１の半径よりも小さくしたことを説明したが、凹部５１の半径を凹部５２の半径よりも小さくしてもよい。この容器抑制手段５０は、凹部５１、５２に挿入された調理容器が位置ずれをしないような厚みを有している。
【００４５】
また、容器抑制手段５０の表面には、凸形状のマーキング５３が施されている。このマーキング５３は、それぞれ凹部５１、５２の左右方向の中心上に設けられている。更に、容器抑制手段５０の後部には、天板２に設けられた排気口１０ａ、１０ｂを覆う排気カバー５４、５５が取り外し自在に設けられている。
【００４６】
図８に示すように、容器抑制手段５０の左右方向の横幅は天板２の横幅と同じである。容器抑制手段５０の例えば凹部５１の中心は、天板２を前方から見て、加熱部３ａの中心よりも手前側に位置し、凹部５２の中心は、加熱部３ａの中心とほぼ同じ位置である。つまり、凹部５１の大きさは、加熱部３ａの径よりも大きく形成されており、凹部５２は、前述したように、加熱部３ｂの径とほぼ同じ大きさになっている。
【００４７】
容器抑制手段５０を、図８に示すように、天板２に設置する場合は、先ず、容器抑制手段３０のマーキング３３がある面側を上に向けた状態で、排気カバー５４、５５が天板２の排気口１０ａ、１０ｂを覆うように、その容器抑制手段５０を天板２に設置する。そして、容器抑制手段５０の横幅が天板２からずれないように調整することで、容器抑制手段５０の凹部５１、５２の中に加熱部３ａ、３ｂが露出する状態になる。
【００４８】
この状態で、例えば調理容器を加熱部３ａに載置した場合、容器抑制手段５０の凹部５１によって、加熱部３ａに対する調理容器の位置ずれが外側から抑制される。つまり、その凹部５１によって、調理容器の左右方向のずれ、奥方向のずれが抑制される。
【００４９】
以上のように本実施の形態４においては、容器抑制手段５０の凹部５１、５２によって、調理容器の加熱部３ａ、３ｂに対する左右方向と奥方向の位置ずれを抑制することができる。このため、調理中に、調理容器が加熱部３ａ、３ｂから大きく外れるということがなくなり、視覚障害者の方でも安心して調理を行うことができる。
【００５０】
また、容器抑制手段５０の凹部５１、５２によって、調理中の調理容器の位置ずれを抑制できるので、安定した火力で調理を行うことができ、また、温度センサーから外れることなく調理ができるので、安定した温度制御ができる。
【００５１】
更に、容器抑制手段５０の表面に凸形状のマーキング５３を施しているので、視覚障害者の方をはじめ、容器抑制手段５０の表と裏を判別できるようになり、加熱部３ａ、３ｂの中心位置を探す指標となり、調理容器の加熱部３ａ、３ｂへの載置が容易になる。
【００５２】
実施の形態５．
図９は本発明の実施の形態５に係る加熱調理器の外観を示す斜視図、図１０は図９の容器抑制手段を加熱調理器の天板に設置して示す斜視図である。なお、実施の形態２と同様の部分には同じ符号を付し、実施の形態２と異なる容器抑制手段についてのみ説明する。
【００５３】
容器抑制手段６０は、前述したように、調理中の調理容器が加熱部３ａ、３ｂから外れないように調理容器の下部を外側から抑制するためのもので、耐熱性を有するシリコーンあるいは樹脂により板状に形成されている。図９に示すように、容器抑制手段６０は、天板２の加熱部３ａ、３ｂよりも後部に取り外し自在に設置され、加熱部３ａ、３ｂ側の端部に加熱部３ａ、３ｂの外形の少なくとも半周を囲むＵ字形状の凹部６１、６２を有している。更に、容器抑制手段６０の後部には、天板２に設けられた排気口１０ａ、１０ｂを覆う排気カバー６３、６４が取り外し自在に設けられている。なお、容器抑制手段６０がシリコーンあるいは樹脂により形成されているとしたが、これに限定されるものではない。例えば、容器抑制手段６０の凹部６１、６２は、誘導加熱コイルにより誘導加熱される領域から外れているので、容器抑制手段６０を板状の金属材で形成してもよい。
【００５４】
図１０に示すように、容器抑制手段６０の左右方向の横幅は天板２の横幅と同じである。なお、容器抑制手段６０の表面には、マーキングが施されていないが、図３に示すように、凸形状のマーキング３３を施してもよい。また、容器抑制手段６０は、凹部６１、６２に挿入された調理容器が位置ずれをしないような厚みを有している。
【００５５】
容器抑制手段６０を、図１０に示すように、天板２に設置する場合は、排気カバー６３、６４が天板２の排気口１０ａ、１０ｂを覆うように、その容器抑制手段６０を天板２に設置する。そして、容器抑制手段６０の横幅が天板２からずれないように調整することで、容器抑制手段６０の凹部６１、６２の中に加熱部３ａ、３ｂが露出する状態になる。
【００５６】
この状態で、例えば調理容器を加熱部３ａに載置した場合、容器抑制手段６０の凹部６１によって、加熱部３ａに対する調理容器の位置ずれが外側から抑制される。つまり、その凹部６１によって、調理容器の左右方向のずれ、奥方向のずれが抑制される。
【００５７】
以上のように本実施の形態５においては、容器抑制手段６０の凹部６１、６２によって、調理容器の加熱部３ａ、３ｂに対する左右方向と奥方向の位置ずれを抑制することができる。このため、調理中に、調理容器が加熱部３ａ、３ｂから大きく外れるということがなくなり、視覚障害者の方でも安心して調理を行うことができる。
【００５８】
また、容器抑制手段６０の凹部６１、６２によって、調理中の調理容器の位置ずれを抑制できるので、安定した火力で調理を行うことができ、また、温度センサーから外れることなく調理ができるので、安定した温度制御ができる。
【００５９】
実施の形態６．
図１１は本発明の実施の形態６に係る加熱調理器の外観を示す斜視図、図１２は図１１の容器抑制手段を加熱調理器の天板に設置して示す斜視図である。なお、実施の形態３と同様の部分には同じ符号を付し、実施の形態３と異なる容器抑制手段についてのみ説明する。
【００６０】
容器抑制手段７０は、前述したように、調理中の調理容器が加熱部３ａ、３ｂから外れないように調理容器の下部を外側から抑制するためのもので、耐熱性を有するシリコーンあるいは樹脂により板状に形成されている。図１１に示すように、容器抑制手段７０は、天板２の加熱部３ａ、３ｂよりも後部に取り外し自在に設置され、加熱部３ａ、３ｂ側の端部に加熱部３ａ、３ｂの外形の少なくとも半周を囲むＵ字形状の凹部７１、７２を有している。容器抑制手段７０の後部には、天板２に設けられた排気口１０ａ、１０ｂを覆う排気カバー７３、７４が取り外し自在に設けられている。なお、容器抑制手段７０がシリコーンあるいは樹脂により形成されているとしたが、これに限定されるものではない。例えば、容器抑制手段７０の凹部７１、７２は、誘導加熱コイルにより誘導加熱される領域から外れているので、容器抑制手段７０を板状の金属材で形成してもよい。
【００６１】
本実施の形態６においては、容器抑制手段７０の両側の端部７０ａは、その凹部７１、７２により形成される凹部７１、７２間の中央分離部７０ｂよりも手前側に長く形成されている。つまり、各端部７０ａは、中央分離部７０ｂよりもｂ（ｍｍ）長くなっている。各端部７０ａを中央分離部７０ｂよりも長くすることで、調理容器が加熱部３ａ、３ｂから左右方向の外側への位置ずれが抑制される。なお、容器抑制手段７０の表面には、マーキングが施されていないが、図３に示すように、凸形状のマーキング３３を施してもよい。この容器抑制手段７０は、凹部７１、７２に挿入された調理容器が位置ずれをしないような厚みを有している。
【００６２】
容器抑制手段７０を、図１２に示すように、天板２に設置する場合は、排気カバー７３、７４が天板２の排気口１０ａ、１０ｂを覆うように、その容器抑制手段７０を天板２に設置する。そして、容器抑制手段７０の横幅が天板２からずれないように調整することで、容器抑制手段７０の凹部７１、７２の中に加熱部３ａ、３ｂが露出する状態になる。
【００６３】
この状態で、例えば調理容器を加熱部３ａに載置した場合、容器抑制手段７０の凹部７１によって、加熱部３ａに対する調理容器の位置ずれが外側から抑制される。つまり、その凹部７１によって、調理容器の左右方向のずれ、奥方向のずれが抑制される。
【００６４】
以上のように本実施の形態６においては、容器抑制手段７０の凹部７１、７２によって、調理容器の加熱部３ａ、３ｂに対する左右方向と奥方向の位置ずれを抑制することができる。このため、調理中に、調理容器が加熱部３ａ、３ｂから大きく外れるということがなくなり、視覚障害者の方でも安心して調理を行うことができる。
【００６５】
また、容器抑制手段７０の凹部７１、７２によって、調理中の調理容器の位置ずれを抑制できるので、安定した火力で調理を行うことができ、また、温度センサーから外れることなく調理ができるので、安定した温度制御ができる。
【００６６】
実施の形態７．
図１３は本発明の実施の形態７に係る加熱調理器の外観を示す斜視図、図１４は図１３の容器抑制手段を加熱調理器の天板に設置して示す斜視図である。なお、実施の形態１と同様の部分には同じ符号を付し、実施の形態１と異なる容器抑制手段についてのみ説明する。
【００６７】
容器抑制手段８０は、前述したように、調理中の調理容器が加熱部３ａ、３ｂから外れないように調理容器の下部を外側から抑制するためのもので、耐熱性を有するシリコーンあるいは樹脂により板状に形成されている。図１３に示すように、容器抑制手段８０は、加熱部３ａ、３ｂ側の端部に加熱部３ａ、３ｂの外形にそれぞれ沿って円弧状に形成された凹部８１、８２を有している。なお、容器抑制手段８０の表面には、マーキングが施されていないが、図３に示すように、凸形状のマーキング３３を施してもよい。また、容器抑制手段８０がシリコーンあるいは樹脂により形成されているとしたが、これに限定されるものではない。例えば、容器抑制手段８０の凹部８１、８２は、誘導加熱コイルにより誘導加熱される領域から外れているので、容器抑制手段８０を板状の金属材で形成してもよい。
【００６８】
図１４に示すように、容器抑制手段８０は、天板２の加熱部３ａ、３ｂよりも前部、例えば操作部４と加熱部３ａ、３ｂとの間に取り外し自在に設置され、容器抑制手段８０の左右方向の横幅は天板２の横幅と同じである。容器抑制手段８０の凹部８１、８２の中心は、天板２を前方から見て、２つの加熱部３ａ、３ｂの中心よりも奥側に位置している。つまり、凹部８１、８２の大きさは、加熱部３ａ、３ｂの径よりも大きく形成されている。また、容器抑制手段８０は、凹部８１、８２に挿入された調理容器が位置ずれをしないような厚みを有している。
【００６９】
容器抑制手段８０を、図１４に示すように、天板２に設置する場合は、先ず、凹部８１、８２を加熱部３ａ、３ｂ側へ向けた状態で、操作部４と加熱部３ａ、３ｂとの間に容器抑制手段８０を天板２に設置する。そして、容器抑制手段８０の横幅が天板２からずれないように調整することで、容器抑制手段８０の凹部８１、８２の中に加熱部３ａ、３ｂが露出する状態になる。
【００７０】
この状態で、例えば調理容器を加熱部３ａに載置した場合、容器抑制手段８０の凹部８１によって、加熱部３ａに対する調理容器の位置ずれが外側から抑制される。つまり、その凹部８１によって、調理容器の左右方向のずれ、手前側へのずれが抑制される。
【００７１】
以上のように本実施の形態７においては、容器抑制手段８０の凹部８１、８２によって、調理容器の加熱部３ａ、３ｂに対する左右方向と手前側への位置ずれを抑制することができる。このため、調理中に、調理容器が加熱部３ａ、３ｂから大きく外れるということがなくなり、視覚障害者の方でも安心して調理を行うことができる。
【００７２】
また、容器抑制手段８０によって、天板２の前部に設けられた操作部４上に、誤って調理容器を載せるようなことがなくなり、操作部４への熱影響を緩和できる。
【００７３】
また、容器抑制手段８０の凹部８１、８２によって、調理中の調理容器の位置ずれを抑制できるので、安定した火力で調理を行うことができ、また、温度センサーから外れることなく調理ができるので、安定した温度制御ができる。
【００７４】
なお、実施の形態１〜７では、容器抑制手段を用いる場合、天板２に容器抑制手段を設置するだけとしたが、容器抑制手段のずれを防止するずれ防止手段を設けてもよい。例えば、容器抑制手段の裏面に複数の凹部を設け、天板２にその凹部に挿入される凸部を設けて、容器抑制手段の前後左右のずれを防止するようにしてもよい。
【００７５】
また、実施の形態２〜６では、容器抑制手段の後部に、排気カバーが取り外し自在に設けられていることを述べたが、必ずしも排気カバーを設ける必要はない。例えば、容器抑制手段の排気口１０ａ，１０ｂと対向する位置に、排気口１０ａ，１０ｂから排出される排気風を通過させる通気口を設けてもよい。通気口は、例えば、スリット、パンチング穴、ルーバー等からなっている。
【符号の説明】
【００７６】
１  本体、２  天板、３ａ、３ｂ  加熱部、４  操作部、５ａ、５ｂ  火力表示部、６  扉体、７  受け皿、８  調理庫、９ａ、９ｂ  排気カバー、１０ａ、１０ｂ  排気口、２０  容器抑制手段、２１、２２  穴、３０  容器抑制手段、３１、３２  円弧状の凹部、３３  マーキング、３４、３５  排気カバー、４０  容器抑制手段、４０ａ  端部、４０ｂ  中央分離部、４１、４２  円弧状の凹部、４３、４４  排気カバー、５０  容器抑制手段、５１、５２  円弧状の凹部、５３  マーキング、５４、５５  排気カバー、６０  容器抑制手段、６１、６２  Ｕ字形状の凹部、６３、６４  排気カバー、７０  容器抑制手段、７１、７２  Ｕ字形状の凹部、７３、７４  排気カバー、８０  容器抑制手段、８１、８２  円弧状の凹部、１００  加熱調理器。
【図１】
0006706964.tif 000002
【図２】
0006706964.tif 000003
【図３】
0006706964.tif 000004
【図４】
0006706964.tif 000005
【図５】
0006706964.tif 000006
【図６】
0006706964.tif 000007
【図７】
0006706964.tif 000008
【図８】
0006706964.tif 000009
【図９】
0006706964.tif 000010
【図１０】
0006706964.tif 000011
【図１１】
0006706964.tif 000012
【図１２】
0006706964.tif 000013
【図１３】
0006706964.tif 000014
【図１４】
0006706964.tif 000015